(57)【特許請求の範囲】
【請求項１】
少なくとも１人の被撮影者を収容し、遮音性を有する撮影室と，
前記撮影室内の異なる位置に異なる角度で配置され、前記被撮影者を撮像する複数台の撮像手段と，
前記被撮影者に撮影位置を案内する複数の撮影位置案内手段と，
撮影プログラムに従って、映像及び／又は音声によって、撮影ポーズを誘導する撮影誘導手段と，
所定サイズのプリント用紙に、画面サイズ及び／又は枚数を選択して、前記撮像手段で撮像した画像をプリントするプリント手段と，
を含む撮影システム。
【請求項２】
請求項１に記載の撮影システムにおいて，
前記撮像手段は、前記撮影室内の前記被撮影者の正面側に配置され，
前記撮影位置案内手段は、前記撮影室内の床面に配置されていること，
を特徴とする撮影システム。
【発明の詳細な説明】
【０００１】
【発明の属する技術分野】
本発明は、無人の撮影室で、被撮影者を撮影する撮影システムに関するものである。
【０００２】
【従来の技術】
実用新案登録第３０２８３２７号は、精算機を有し、有効金額の投入により、カメラが動作し、本体に入力画像がメモリーされ、あらかじめ本体に記憶されている複数図柄データの中から利用者が選択しスーパーインポーズ機能で合成した同一画像をプリンターでシール用紙にプリントし、オリジナル合成シールを作製するプリントシステムを開示している。
【０００３】
【発明が解決しようとする課題】
しかし、前述した従来のシステムは、撮影ポーズを選択する余地がなく、しかも、プリントされる画像が小さく、立体感がなく、遊びの域を出なかった。
【０００４】
本発明の目的は、前述した課題を解決し、写真スタジオでプロカメラマンに撮影される雰囲気を味わえ、高度でバラエティに富んだ撮影結果が得られる撮影システムを提供することである。
【０００５】
【課題を解決するための手段】
前記課題を解決するために、請求項１の発明は、少なくとも１人の被撮影者を収容し、遮音性を有する撮影室（１）と，前記撮影室内の異なる位置に異なる角度で配置され、前記被撮影者を撮像する複数台の撮像手段（２）と，前記被撮影者に撮影位置を案内する複数の撮影位置案内手段（７）と，撮影プログラムに従って、映像及び／又は音声によって、撮影ポーズを誘導する撮影誘導手段（４，６）と，所定サイズのプリント用紙に、画面サイズ及び／又は枚数を選択して、前記撮像手段で撮像した画像をプリントするプリント手段（９）と，を含む撮影システムである。
【０００８】
請求項２の発明は、請求項１に記載の撮影システムにおいて，前記撮像手段（２）は、前記撮影室（１）内の前記被撮影者の正面側に配置され，前記撮影位置案内手段（７）は、前記撮影室内の床面に配置されていること，を特徴とする撮影システムである。
【００１０】
【発明の実施の形態】
以下、図面などを参照しながら、本発明の実施の形態をあげて、さらに詳細に説明する。
図１，図２は、本発明による撮影システムの実施形態を示す側面図，正面図である。
この実施形態の撮影システムは、撮影室１と、カメラ２と、ストロボ３と、表示用モニタ４と、操作用モニタ５と、スピーカ６と、パイロットランプ７と、コインオペレータ８と、プリンタ９と、コンピュータ１０と、ミラー１１と、スクリーン１２等とを備えている。
【００１１】
撮影室１は、無人の写真スタジオとして使用できるボックスであり、このシステムが収容され、内部スペースは、大人３〜５人が自由に動き回れる広さを持ち、外壁は、遮音性を持たせてある。
撮影室１は、前面には、被撮影者がポーズを確認できるようにミラー１１が設けられている。このミラー１１は、ストロボ３からの光が反射して、ハレーション等の影響のでない大きさや位置に配置されている。また、背面には、床との接触面を曲面にし、照明により奥ゆきが深くなるように、ホリゾントバックとして使用するスクリーン１２が設けられている。
【００１２】
カメラ２は、約１５０万画素以上のＣＣＤを備えた高画質デジタルカメラであって、色々なアングルから撮影できるように、異なる角度で異なる場所に複数台（ここでは、カメラ５ａ〜５ｅの５台）配置されている。
【００１３】
ストロボ３は、撮影用の照明装置であって、ここでは、天井から吊り下げ、キーライトとなるストロボ３ａと、床に設置され、キーライトで作る影を和らげるフィルライトとなるストロボ３ｂ等とを備えている。この他にも、前述したミラー１１に悪影響がなければ、バックライトやその他のエフェクトライトとなるストロボを配置してもよい。
【００１４】
表示用モニタ４は、被撮影者に撮影の説明、誘導等に用いる映像を表示するＣＲＴモニタであって、撮影室１内の正面で、被撮影者の目線の位置に設けられている。この表示モニタ４は、例えば、撮影前には、予め撮影上の諸注意を流し、撮影中には、プロモデルの映像を見本として流すようにすることができる。
【００１５】
操作用モニタ５は、被撮影者が撮影の進行、画像の選択、プリントサイズや枚数の選択等を操作するために用いるタッチパネル方式の液晶モニタである。例えば、前述した表示用モニタ４で、このシステムの操作方法を説明した後に、後述するコースメニューを選択したり、また、撮影後の２０〜３０コマのポーズを確認して、その中から被撮影者が好みの画面を選択したり、さらに、プリントする画面のサイズや枚数を選択することができる。
【００１６】
スピーカ６は、撮影の事前説明、撮影中のアドバイスや効果音を発生するためのものであり、ここでは、天井部に２台設置されている。効果音は、例えば、使用するカメラ２がデジタルカメラであって、シャッター音が出ないので、一眼レフカメラのシャッタ音とフイルム巻き上げ音を低音で拡大して、臨場感を醸し出している。このスピーカ６と前述した表示用モニタ４によって、撮影誘導手段を構成している。
【００１７】
パイロットランプ７は、床面に複数（ここでは、７ａ〜７ｆの６個）設置されており、いずれかのパイロットランプ７ａ〜７ｆが点滅することにより、撮影者は、事前に、最適な撮影距離を確認することができる。
【００１８】
コインオペレータ８は、コイン・札投入口８ａから投入されたコイン又は札の真偽、クレジット枚数、釣り銭などを管理をするためのものである。
【００１９】
プリンタ９は、撮影結果をプリントする昇華転写方式などのフルカラープリンタであって、カッタ機９ａが設けられている。このプリンタ９は、プリントサイズを任意に選べ、図４に示すように、Ａ４サイズの中に複数（図では８枚）画面を入れることができる。また、フルサイズ２０のＡ４で出力するか、複数画面の分割サイズ２１で出力するか選択することができる。
【００２０】
コンピュータ１０は、このシステムを制御する制御部と、制御プログラムや、撮影誘導のための映像や音声のデータ、撮影結果のデータ等を記憶する記憶部などを備えている。制御部は、例えば、デジタルカメラ２のレリーズ信号，ストロボ３へ発光同調信号，表示用モニタ４への映像信号，操作用モニタ５との間で授受される表示信号と操作信号、スピーカ６への音声信号、パイロットランプ７の点灯信号、コインオペレータ８との間で授受される信号と、プリンタ９への印字信号などを生成・制御している。
【００２１】
図３は、本実施形態による撮影システムの動作を説明するフローチャートである。
この撮影システムは、通常、デモ映像と音声が流れており（Ｓ１０１）、コインオペレータ８に所定枚数のコインを投入すると（Ｓ１０２）、操作用モニタ５にメニューが表示され（Ｓ１０３）、撮影コースの選択が可能となる。
【００２２】
撮影コースは、例えば、以下のようなもの用意されている。
Ａ．プロカメラマンコース（実在する著名プロカメラマンの音声，映像によるもの）
Ｂ．雑誌モデルコース（女性誌，ファッション誌，男性ファッション誌）
Ｃ．カップルコース（恋人，友人の２人を意識したもの）
Ｄ．記念撮影コース（七五三、お宮参り，成人記念，入学，卒業記念，誕生日，メモリアルデー，お見合い写真，証明写真等を想定したもの）
Ｅ．フリーコース
【００２３】
被撮影者は、操作用モニタ５を用いて、上記各撮影コースの中から自由に選択することができる（Ｓ１０４）。
各コース毎に、表示モニタ４とスピーカ６とから、映像と音声で撮影に関する事前説明があり（Ｓ１０５）、撮影がスタートする（Ｓ１０６）。
【００２４】
撮影中は、Ａ〜Ｄコースともに、前面の表示用モニタ４からプロモデルの映像が流れ、スピーカ６から実際のカメラマンが存在しているかのような、臨場感に溢れた声の演出で被撮影者にポーズを取らせる。また、被撮影者は、表示用モニタ４を見てポーズをイメージし、かつ、音声で誘導されると共に、撮影ポイントは床面に設置されたパイロットランプ７（７ａ〜７ｆ）の点滅により、事前に最適な撮影距離を確認することができる。
【００２５】
所定の枚数（ｋ＝２０〜３０枚）だけ撮影すると（Ｓ１０７）、操作用モニタ５には、撮影後のｋコマのポーズが確認できる。被撮影者は、操作用モニタ５からタッチパネル方式で好みのみ画面が選択できる（Ｓ１０８）。さらに、選択された画面に対して、プリントサイズを選択すると（Ｓ１０９）、プリント結果がプリンタ９のプリント出力口９ｂから排出される。
【００２６】
以上説明したように、本実施形態の撮影システムは、高画質デジタル式のカメラ２を５台使用して、遮音性を有したボックス状の撮影室（スタジオ）１で、表示モニタ４とスピーカ６からの映像と音声によるポーズ等の撮影誘導によって、種々のコース（プロカメラマン，記念撮影等）によって設定された雰囲気で撮影することができる。
【００２７】
また、パイロットランプ７を床面に設置して、被撮影者の立つ場所を確定させるので、撮影距離を明確にすることができる。
さらに、プリント物は、サイズが可変できるように、ソフト上で制御されており、出力も複数サイズが可能となっている。
【００２８】
以上説明した実施形態に限定されることなく、種々の変形や変更が可能であって、それらも本発明の均等の範囲内である。
（１）  撮影室は、遮音性があることが好ましいが、設置場所によっては、側面などはオープンであってもよい。また、カラオケボックス等の他の設備内に併設することもできる。
（２）  ストロボの他に、レフ板、アンブレラ、ディフューザなどの他の照明機器を追加して用いてもよい。
【００２９】
【発明の効果】
以上詳しく説明したように、本発明によれば、写真スタジオでプロカメラマンに撮影される雰囲気を味わえ、高度でバラエティに富んだ撮影結果が得られる、という効果がある。
【図面の簡単な説明】
【図１】本発明による撮影システムの実施形態を示す側面図である。
【図２】本発明による撮影システムの実施形態を示す正面図である。
【図３】本実施形態の撮影スシステムの動作を説明するプローチャートである。
【図４】本実施形態の撮影システムに用いられるプリンタのプリントサイズを説明するための図である。
【符号の説明】
１  ボックス本体
２  カメラ
３  ストロボ
４  表示用モニタ
５  操作用モニタ
６  スピーカ
７  パイロットランプ
８  コインオペレータ
９  プリンタ
１０  コンピュータ
１１  ミラー
１２  スクリーン
【図１】
0004408144.tif 000002
【図２】
0004408144.tif 000003
【図３】
0004408144.tif 000004
【図４】
0004408144.tif 000005